【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】複数のレンズ群を光軸方向とは異なる方向に移動させることにより像ぶれを補正するようにしたことを特徴とする像ぶれ補正機能を有する撮影レンズ。
【請求項２】前記複数のレンズ群の各々を、光軸に垂直な方向に移動させるか、または光軸上またはその近傍の点を中心に回転させることにより像ぶれを補正するようにしたことを特徴とする請求項１に記載の像ぶれ補正機能を有する撮影レンズ。
【請求項３】前記複数のレンズ群の重心位置又はその近傍を中心に、前記複数のレンズ群を一体的に回転させることにより像ぶれを補正するようにしたことを特徴とする請求項１又は２に記載の像ぶれ補正機能を有する撮影レンズ。
【請求項４】前記複数のレンズ群の間に、像ぶれ補正時に位置を固定されるレンズ群を有することを特徴とする請求項１又は２に記載の像ぶれ補正機能を有する撮影レンズ。
【請求項５】前記複数のレンズ群のうち、少なくとも１つのレンズ群は光軸に対して垂直な方向の移動成分がそれ以外のレンズ群の移動成分とは光軸に対して対称な方向を向いていることを特徴とする請求項１、２、４のいずれかに記載の像ぶれ補正機能を有する撮影レンズ。
【請求項６】前記複数のレンズ群を一体的に駆動することを特徴とする請求項１、２、４、５のいずれかに記載の像ぶれ補正機能を有する撮影レンズ。
【請求項７】前記複数のレンズ群を一体的に、それら一体の複数のレンズ群の重心位置またはその近傍を中心に回転することにより像ぶれを補正するようにしたことを特徴とする請求項４乃至６のいずれかに記載の像ぶれ補正機能を有する撮影レンズ。
【請求項８】前記複数のレンズ群が、像ぶれ補正時に同方向の像移動を発生させる２つのレンズ群を含むことを特徴とする請求項１乃至７のいずれかに記載の像ぶれ補正機能を有する撮影レンズ。
【請求項９】前記複数のレンズ群が、像ぶれ補正時に同方向の像移動を発生させる同符号のパワーを持つ２つのレンズ群を含み、該２つのレンズ群の間に像ぶれ補正時には固定の、該２つのレンズ群とは逆符号のパワーを持つレンズ群を有することを特徴とする請求項４乃至６のいずれかに記載の像ぶれ補正機能を有する撮影レンズ。
【請求項１０】前記複数のレンズ群が、光軸に対して垂直な方向の移動成分が光軸に対して対称な方向を向く、異符号のパワーを持つ２つのレンズ群を含むことを特徴とする請求項１乃至８のいずれかに記載の像ぶれ補正機能を有する撮影レンズ。
【請求項１１】前記複数のレンズ群が、像ぶれ補正時に反対符号の偏心収差を発生させる２つのレンズ群を含むことを特徴とする請求項１乃至１０のいずれかに記載の像ぶれ補正機能を有する撮影レンズ。
【請求項１２】前記複数のレンズ群が、像ぶれ補正時に前記複数のレンズ群全体としての偏心収差がほぼキャンセルされるように偏心収差を発生させることを特徴とする請求項１乃至１１のいずれかに記載の像ぶれ補正機能を有する撮影レンズ。
【請求項１３】前記複数のレンズ群が、相対的な位置関係を変えずに変倍機能をもつことを特徴とする請求項１乃至１２のいずれかに記載の像ぶれ補正機能を有する撮影レンズ。
【請求項１４】物体側から順に正の第１群、負の第２群、正の第３群の３群構成を有し少なくとも前記３群の間の間隔を変化させることにより変倍可能であることを特徴とする請求項１乃至１３のいずれかに記載の像ぶれ補正機能を有する撮影レンズ。
【請求項１５】物体側から順に正の第１群、負の第２群、正の第３群の３群構成を有し少なくとも前記３群の間の間隔を変化させることにより変倍可能であるズームレンズにおいて、前記複数のレンズ群を前記第３群内に配置したことを特徴とする請求項１乃至１４のいずれかに記載の像ぶれ補正機能を有する撮影レンズ。
【請求項１６】物体側から順に正の第１群、負の第２群、正の第３群、負の第４群、正の第５群を有し、第３群と第５群を一体的に光軸に垂直な方向に移動することにより、像ぶれを補正するようにしたことを特徴とする像ぶれ補正機能を有する撮影レンズ。
【請求項１７】物体側から順に正の第１群、負の第２群、正の第３群、負の第４群、正または負の第５群、正の第６群を有し、第４群と第６群を光軸近傍の一点を中心にして一体的に回転させることにより、像ぶれを補正するようにしたことを特徴とする像ぶれ補正機能を有する撮影レンズ。
【手続補正２】
【補正対象書類名】明細書
【補正対象項目名】０００５
【補正方法】変更
【補正の内容】
【０００５】
また、本発明は、前記複数のレンズ群の各々を、光軸に垂直な方向に移動させるか、または光軸上又はその近傍の点を中心に回転させることにより像ぶれを補正するようにするのが好ましい。
【手続補正３】
【補正対象書類名】明細書
【補正対象項目名】０００６
【補正方法】変更
【補正の内容】
【０００６】
また、本発明は、前記複数のレンズ群の重心位置又はその近傍を中心に、前記複数のレンズ群を一体的に回転させることにより像ぶれを補正するようにするのが好ましい。
また、本発明は、前記複数のレンズ群の間に、像ぶれ補正時に位置を固定されるレンズ群を有するのが好ましい。
また、本発明は、前記複数のレンズ群のうち、少なくとも１つのレンズ群は光軸に対して垂直な方向の移動成分がそれ以外のレンズ群の移動成分とは光軸に対して対称な方向を向いているようにするのが好ましい。
また、本発明は、前記複数のレンズ群を一体的に駆動するようにするのが好ましい。
また、本発明は、前記複数のレンズ群を一体的に、それら一体の複数のレンズ群の重心位置またはその近傍を中心に回転することにより像ぶれを補正するようにするのが好ましい。
また、本発明は、前記複数のレンズ群が、像ぶれ補正時に同方向の像移動を発生させる２つのレンズ群を含むのが好ましい。
また、本発明は、前記複数のレンズ群が、像ぶれ補正時に同方向の像移動を発生させる同符号のパワーを持つ２つのレンズ群を含み、該２つのレンズ群の間に像ぶれ補正時には固定の、該２つのレンズ群とは逆符号のパワーを持つレンズ群を有するのが好ましい。
また、本発明は、前記複数のレンズ群が、光軸に対して垂直な方向の移動成分が光軸に対して対称な方向を向く、異符号のパワーを持つ２つのレンズ群を含むのが好ましい。
また、本発明は、前記複数のレンズ群が、像ぶれ補正時に反対符号の偏心収差を発生させる２つのレンズ群を含むのが好ましい。
また、本発明は、前記複数のレンズ群が、像ぶれ補正時に前記複数のレンズ群全体としての偏心収差がほぼキャンセルされるように偏心収差を発生させるのが好ましい。
また、本発明は、前記複数のレンズ群が、相対的な位置関係を変えずに変倍機能をもつのが好ましい。
また、本発明は、物体側から順に正の第１群、負の第２群、正の第３群の３群構成を有し少なくとも前記３群の間の間隔を変化させることにより変倍可能であるようにするのが好ましい。
また、本発明は、物体側から順に正の第１群、負の第２群、正の第３群の３群構成を有し少なくとも前記３群の間の間隔を変化させることにより変倍可能であるズームレンズにおいて、前記複数のレンズ群を前記第３群内に配置したのが好ましい。
また、本発明は、物体側から順に正の第１群、負の第２群、正の第３群、負の第４群、正の第５群を有し、第３群と第５群を一体的に光軸に垂直な方向に移動することにより、像ぶれを補正するようにするのが好ましい。
また、本発明は、物体側から順に正の第１群、負の第２群、正の第３群、負の第４群、正または負の第５群、正の第６群を有し、第４群と第６群を光軸近傍の一点を中心にして一体的に回転させることにより、像ぶれを補正するようにするのが好ましい。